(57)【特許請求の範囲】
【請求項１】
パウダーの通過可能な布帛からなる袋状パフ本体と、パウダーを収納した内袋と、クッション材と、柔軟なシート状物とからなり、前記パフ本体を構成する布帛がパイルを有しており、前記内袋が不織布、織物または編物からなり、前記シート状物が前記内袋および前記クッション材を包んでおり、前記パフ本体には把手が設けられており、該把手を設けた側のパフ本体の布帛に、前記シート状物の引出しを可能とする大きさの開口が形成されており、袋状パフ本体内部において前記クッション材が前記把手側に、前記内袋が塗布面側に面するように配置されていることを特徴とするパウダー入りパフ。
【請求項２】
前記シート状物はパウダーが通過し難いものであることを特徴とする請求項１記載のパウダー入りパフ。
【請求項３】
前記シート状物は１枚のシートを折畳んで重なり合った２つのシート層を形成しており、該重なり合った２つのシート層は隣接する２辺が閉じられ、残余の辺が開いた略多角形状の袋状をなしていることを特徴とする請求項１または請求項２に記載のパウダー入りパフ。
【請求項４】
前記シート状物は２枚のシートを重ね合せて２つのシート層を形成しており、該２つのシート層は隣接する２辺が閉じられ、残余の辺が開いた略多角形状の袋状をなしていることを特徴とする請求項１または請求項２に記載のパウダー入りパフ。
【請求項５】
前記パウダーを収納した内袋の片面はパウダーの通過が容易な粗い目の布帛からなり、他の面はパウダーが通過し難い細かな目の布帛からなることを特徴とする請求項１ないし請求項４の何れか１項に記載のパウダー入りパフ。
【請求項６】
前記シート状物の一部分が前記パフ本体の開口から突出していることを特徴とする請求項１ないし請求項５の何れか１項に記載のパウダー入りパフ。
【発明の詳細な説明】
【０００１】
【発明の属する技術分野】
本発明は化粧用パウダーまたは薬用パウダーを内部に収納したパウダー入りパフに関するものである。
【０００２】
【従来の技術】
従来、ボディパウダーやフェイスパウダー等の化粧用パウダーやシッカロール等の薬用パウダーは缶やプラスチックの容器などに収容されており、毛足の比較的長いパイルを有するパフを用いて肌に塗布することを行っている。
【０００３】
しかしながら、このような容器入りのパウダーは、パフに余分に付着したりして均一に肌に付着させることができなかったり、パフをはたいた際に粉が周囲に飛び散ったりすることがあり、使い勝手の悪い点があった。また、容器入りのパウダーは、携帯には不便である。
【０００４】
これに対して、パフの内部にパウダーを入れたものが既に提案され使用されている。例えば、シッカロール等がガーゼの布袋に入れられたものが古くから使用されていた。或いは、小さな容器の中にパウダーを入れ、その容器の先端に穴を開け、その容器にパフを被せたような形態のものが提案されている（例えば、実公昭６１−２４９４号公報参照）。
【０００５】
【発明が解決しようとする課題】
しかしながら、上述したようにパフに直接パウダーを入れたものはパフの目から粉が常時こぼれ出ることができるため、製品として販売する以前に、移送中の振動などにより粉がパフの外部に出てきたりして、不都合である。
【０００６】
また、容器に粉を入れたものでは、容器がパフと一体となっているために、使い勝手がよくなく、不便である。
【０００７】
本発明は、このような従来のパウダー入りパフの欠点を解消して、消費者が使用する前にはパフ内部に収容されたパウダーが外部に殆どこぼれないようなパウダー入りパフを提供することを目的とする。また、消費者が使用する前は、未使用であるということを確認できるようなパウダー入りパフを提供することを目的とする。
【０００８】
【課題を解決するための手段】
請求項１記載の本発明によれば、パウダーの通過可能な布帛からなる袋状パフ本体と、パウダーを収納した内袋と、クッション材と、柔軟なシート状物とからなり、前記パフ本体を構成する布帛がパイルを有しており、前記内袋が不織布、織物または編物からなり、前記シート状物が前記内袋および前記クッション材を包んでおり、前記パフ本体には把手が設けられており、該把手を設けた側のパフ本体の布帛に、前記シート状物の引出しを可能とする大きさの開口が形成されており、袋状パフ本体内部において前記クッション材が前記把手側に、前記内袋が塗布面側に面するように配置されていることを特徴とするパウダー入りパフにより前記目的を達成する。
【００１０】
また、本発明におけるシート状物はパウダーが通過しない、または、通過し難いものを使用するのが好適である。このシート状物は１枚のものをそのまま使用して内袋または内袋とクッション材を包んでもよい。或いは、１枚のシートを２つに折畳んで、または２枚のシートを重ね合せて、重なり合った２つのシート層として、この重なり合った２つのシート層の隣接する２辺が閉じられ、残余の辺が開いた略多角形状の袋状として、この袋の中に内袋または内袋とクッション材を入れるようにしてもよい。この場合、閉じられた隣接する２辺の頂点の部分をパフ本体の開口から突出させて、シート状物を引出し易くすることができる。
【００１１】
本発明におけるパウダーを収納した内袋の片面をパウダーの通過が容易な粗い目の布帛とし、他の面をパウダーが通過し難い細かな目の布帛としてもよい。
【００１２】
【実施例】
以下、図面に基いて本発明を詳細に説明する。図１は本発明のパフの一実施例の斜視図であり、図２はその断面図、図３はパフ本体の一部を取除いて示した底面図、図４は図１の分解斜視図である。
【００１３】
本発明のパフは所謂縫製パフであり、パフ本体１が２枚の布帛１ａおよび１ｂからなり、布帛１ａおよび１ｂを中表状態に重合わせ、周縁を一部分残して縫合わせて袋状にし、この袋を裏返してからその中に詰め物が入れ、またはその中に詰め物が入るようにしながら袋を裏返し、そして袋の口を綴じて製作するものである。
【００１４】
本発明のパフ本体１はパウダーが通過できるような布帛からなるものである。この布帛としては織物、編物、不織布の何れでもよいが、好ましくはパウダーを付着するのに適したように比較的長い毛足のパイル１ｄを有する布帛が好ましい。
【００１５】
図示した実施例では、パフ本体１を構成する２枚の布帛１ａおよび１ｂの片方１ａの表側に、把手５が設けられている。また、把手５を設けた側の布帛１ａに開口１ｃが形成されてしいる。パフ本体１に設ける開口１ｃはパフ本体１の何処に設けてもよいが、例えば、図示したようにパフ本体１にテープ状の把手５が設けられている場合などは、その脇に設けておくと開口が開いていることがあまり目立たず好ましい。開口１ｃは丸い穴でもよいが、細長いスリット状のものでもよい。この穴の大きさは柔軟なシート状物４を引出すことができる程度のものであればよい。
【００１６】
パフ本体１の内部には、内部にパウダー２ｃを内蔵した内袋２が収納される。パウダー２ｃを内蔵した内袋２は、片方の少なくとも一部分がパウダー２ｃの通過し易いような素材から構成されており、その素材としては不織布、織物、編物などが適している。その内袋の片面２ｂが目の粗い織物であり、反対側の面２ａが、例えば目の細かなパウダー２ｃの通り難い面としておくことができる。このように両面を変えることによりパウダー２ｃの放出量を調整することができる。この場合、目の粗いパウダー２ｃが通り易いような大きめの目を持つ素材２ｂをパフ本体の塗布面側１ｂ（把手５を設けた側と反対側）に面するように配置することが好ましい。
【００１７】
また、パフ本体１の内部にはクッション材３が入っている。このクッション材３はパフの中芯として通常用いられる弾性を有する素材、例えばスポンジ体等を使用すればよい。
【００１８】
本発明においては、更にこのパフの内部に柔軟なシート状物４が入っている。このシート状物４は、例えば、柔軟なフィルムや紙、不織布等からなり、パウダー２ｃが通過し難いものとする。このシート状物４は、消費者が使用する前にはパフ内部に収容されたパウダー２ｃが外部に殆どこぼれないようにするためのものである。製品の移送中の振動などによってもパウダー２ｃがパフの外部に出てきたりしないように、シート状物４によりパウダー入り内袋２およびクッション材３を包む。一方、シート状物４はパフの使用開始時にパフ本体１の開口１ｃから引抜いてしまうものである。このため、シート状物４による包み方は、パフ本体１の開口１ｃから容易にシート状物４が引抜けるようにパウダー入り内袋２およびクッション材３を簡単に包む。例えば、シート状物４の中心にクッション材４とパウダー入り内袋２を置き、その周囲のシート状物４を重ね合わせるだけでよい。
【００１９】
シート状物４により内袋２およびクッション材３を包むときは、完全な形で包めなくてもある程度重なりあって包んでいればよい。これは内袋２からパウダー２ｃがこぼれ落ちてもシート状物４に阻まれてパフ本体１にまで達しなければよいからである。
【００２０】
図１および図２に示すように、包んだシート状物４の中心部分をパフ本体１に設けた開口１ｃから外部に少し引出した状態としておくと、消費者が容易にシート状物４を引き抜くことができる。このようにシート状物４の一部が開口１ｃから突出した状態とするには、製造時にパイル布帛１ａの開口１ｃにシート状物４の一部をパイル１ｄと反対側から通して突出させてからパウダー入り内袋２およびクッション材３を包むか、または包んでから突出させる。そして、これらとパイル布帛１ｂと重ね合わせて、布帛１ａおよび１ｂの周縁を一部分残して縫合わせ袋状とし、この袋状パフ本体を裏返してから、または裏返しながら、パウダー入り内袋２およびクッション材３を包んだ状態でシート状物４を袋状パフ本体の内部に押込み、そして開いた袋の口を閉じれる。
【００２１】
前述したようにパフ本体１を縫製する際に予め柔軟なシート状物４の一部分を開口１ｃから外部に突出するようにしてよいが、パフ本体１の縫製中は開口１ｃからシート状物４が突出していない状態としておき、パフ本体１の縫製後に製造者がシート状物４の一部を開口１ｃから摘み出して突出させてもよい。或いは、シート状物４がパフ本体１から突出していない状態で販売して、消費者がパフを最初に使用するときに、例えば細い楊子などを用いてシート状物４を開口１ｃから摘み出して引き抜くすようにしてもよい。何れにしても、パフの使用前はシート状物がパフ内部に入っているので、消費者は未使用であることを確認できる。
【００２２】
本発明におけるｃと状物４は１枚のものをそのまま使用して内袋２または内袋２とクッション材３を包んでもよい。或いは、図４に示すように、１枚のシートを２つに折畳んで、または２枚のシートを重ね合せて、重なり合った２つのシート層４１、４２として、この重なり合った２つのシート層４１、４２の隣接する２辺４ａ、４ｂが閉じられ、残余の辺４ｃが開いたほぼ多角形状の袋状としてもよい。
【００２３】
内袋２または内袋２とクッション材３を辺４ｃの側から袋の中に入れて、辺４ｃの周囲を重ね合わせて、内袋２または内袋２とクッション材３を包み込む。この場合、閉じられた隣接する２辺４ａ、４ｂの頂点部分４ｄをパフ本体１の開口１ｃから突出させる。頂点部分４ｄは尖った形状であるので、開口１ｃから突出させ易く、また、頂点部分４ｄを把持してシート状物４をパフの外側に引張れば、シート状物４を簡単に引出すことができる。
【００２４】
図５（ａ）はシート状物４の別の形状を示す実施例の平面図である。この実施例では、シート状物４は１枚の長方形のシートを２つに折畳んで、略正方形とし、折り目の辺４ａに隣接する辺４ｂを例えばヒートシールなどにより綴じ合わせて袋状とする。残りの２辺４ｃおよび４ｅは開いており、ここから内袋２やクッション材３を入れればよい。
【００２５】
図５（（ｂ））はシート状物４の更に別の形状を示す実施例の平面図である。この実施例では、シート状物４は１枚の２枚の三角形状のシートをを重ね合せて、隣接する２つの辺４（ａ）、４ｂをヒートシールなどにより接着して袋状とする。残りの辺４ｃが開いており、ここから内袋２やクッション材３を入れる。
【００２６】
【発明の効果】
本発明によれば、パウダーを内袋に入れるとともに、更に、この内袋を柔軟なシート材で簡単に包んだ状態としておき、このシート材をパフ本体から引抜いて取出し得るようにしている。従って、使用前（製造から販売中まで）においては内袋に入ったパウダーがパフ本体からこぼれ出たり、パウダーが回りに飛散したりすることがない。
【００２７】
また、消費者がシート状物を引出すということにより、そのパフが未使用であることが消費者自身によって確認することができるので、安心感が得られる。
【図面の簡単な説明】
【図１】本発明のパフの斜視図である。
【図２】図１のパフの断面図である。
【図３】図１のパフ本体の一部を取除いて示した底面図
【図４】本発明のパフの分解斜視図である。
【図５】（ａ）は本発明のシート状物の別の実施例の平面図、（ｂ）はシート状物の更に別の実施例の平面図である。
【符号の説明】
１  パフ本体
１ｃ  開口
２  内袋
２ｃ  パウダー
３  クッション材
４  シート状物
５  把手
【図１】
0003777294.tif 000002
【図２】
0003777294.tif 000003
【図３】
0003777294.tif 000004
【図４】
0003777294.tif 000005
【図５】
0003777294.tif 000006